(57)【要約】      （修正有）【課題】爆発や火災の危険があるガスの注入が不要であり、内容物が詰め替え可能なディスペンサーを提供する。【解決手段】外容器３００と、外容器３００の内部に収納されると共に内容物が貯蔵される内容器２００と、内容器２００の上端部に取設されて内容器２００内の内容物を注出するポンピング部１００と、を備え、内容器２００は、収縮及び膨張可能な材質からなり、射出ブロー成形法によって多数の蛇腹部２１０が形成され、上部にはポンピング部１００と結合されるための結合口が設けられるディスペンサーに関する。また、内容器の外周面に圧縮用ゴム帯がさらに設けられる。さらに、内容器の外周面に弾性の鋼帯がさらに周設され、鋼帯の一部を切欠して立設された多数の弾性鋼片が設けられて、弾性鋼片は、内容器２００内の内容物が次第に注出されるにつれて、先端部が外容器３００の内面に当接している状態を維持しつつ次第に立てられる。【選択図】図６
2011162265.tif 000002
【特許請求の範囲】
【請求項１】
外容器（３００）と、前記外容器（３００）の内部に収納されると共に内容物が貯蔵される内容器（２００）と、前記内容器（２００）の上端部に取設されて内容器（２００）内の内容物を注出するポンピング部（１００）と、を備え、
前記内容器（２００）は、収縮及び膨張可能な材質からなり、射出ブロー成形法によって形成された多数の蛇腹部（２１０）と、上部に設けられてポンピング部（１００）と結合されるための結合口（２２０）と、前記内容器（２００）の外周面に周設された弾性の鋼帯（４２０）と 、内容器の上部に設けられる、前記鋼帯（４２０）の一部を切欠して立設された多数の弾性鋼片（４２１）と、を備え、
前記弾性鋼片（４２１）は、前記内容器（２００）内の内容物が次第に注出されるにつれて、先端部が外容器（３００）の内面に当接している状態を維持しつつ次第に立てられ、
前記外容器（３００）と内容器（２００）との間に圧縮空気（３０１）を詰め込んで、前記圧縮空気（３０１）により内容物の注出が行われることを特徴とするディスペンサー。
【請求項２】
前記内容器（２００）の外周面に圧縮用ゴム帯（４１０）がさらに設けられることを特徴とする請求項１に記載のディスペンサー。
【発明の詳細な説明】
【技術分野】
【０００１】
本発明はディスペンサーに係り、特に、内容器に内容物の詰め替えが可能であり、内容器内の内容物が最大限に注出可能なディスペンサーに関する。
【０００２】
特に、本発明は、内容器と外容器との間に圧縮空気を詰め込み、この圧縮空気によって内容物の注出力を向上させることを特徴とし、通常のフロンガスを使用することなく、人体に無害であり、且つ、環境にやさしい空気を利用するディスペンサーに関する。
【背景技術】
【０００３】
液状または粘液状の化粧品は、内容物を一定量ずつ注出して使用できるようにディスペンサーに貯蔵される。
【０００４】
かようなディスペンサーは、内容物が貯蔵される容器の上端にポンピング部が取り付けられてなる。
【０００５】
より具体的に、ディスペンサーは、一方の側にノズルが形成され、このノズルを介して内容物を注出するためのボタンが配備されて、このボタンを押下してディスペンサーをポンピングすれば、内容物が注出される。
【０００６】
この種の従来のディスペンサーは、ヘアムースやシェービングフォームなど液体と空気とを混合して使用する製品に適用されるものであり、フロンガスなどの圧縮ガスを利用する。
【０００７】
これにより、従来のディスペンサーは爆発や火災の危険があり、人体に有害であり、オゾン層の破壊など環境破壊を引き起こすだけではなく、内容物の詰め替えが不可能であるという問題点がある。
【発明の概要】
【発明が解決しようとする課題】
【０００８】
本発明は上記の如き問題点を解消するためになされたものであり、その目的は、爆発や火災の危険があるガスの注入が不要であり、内容物が詰め替え可能なディスペンサーを提供するところにある。
【０００９】
また、本発明の他の目的は、内容器内の内容物が最大限に注出可能なディスペンサーを提供するところにある。
【００１０】
特に、本発明の目的は、内容器と外容器との間に圧縮空気を詰め込み、この圧縮空気によって内容物の注出力を向上させ、従来のフロンガスを使用することなく、人体に無害であり、且つ、環境にやさしい空気を利用するディスペンサーを提供するところにある。
【課題を解決するための手段】
【００１１】
上記の目的を達成するために、本発明は、外容器３００と、前記外容器３００の内部に収納されると共に内容物が貯蔵される内容器２００と、前記内容器２００の上端部に取設されて内容器２００内の内容物を注出するポンピング部１００と、を備え、前記内容器２００は、収縮及び膨張可能な材質からなり、射出ブロー成形法によって形成された多数の蛇腹部２１０と、上部に設けられてポンピング部１００と結合されるための結合口２２０と、前記内容器２００の外周面に周設された弾性の鋼帯４２０と 、前記鋼帯４２０の一部を切欠して立設された多数の弾性鋼片４２１と、を備え、前記弾性鋼片４２１は、前記内容器２００内の内容物が次第に注出されるにつれて、先端部が外容器３００の内面に当接している状態を維持しつつ次第に立てられ、前記外容器３００と内容器との間に圧縮空気３０１を詰め込んで、前記圧縮空気３０１により内容物の注出が行われることを特徴とする。
【００１２】
また、本発明によるディスペンサーは、前記内容器２００の外周面に圧縮用ゴム帯４１０がさらに設けられる。
【００１３】
さらに、本発明によるディスペンサーは、前記内容器２００の外周面に周設された弾性の鋼帯４２０と、前記鋼帯４２０の一部を切欠して立設された多数の弾性鋼片４２１と、を備えて、前記弾性鋼片４２１は、前記内容器２００内の内容物が次第に注出されるにつれて、先端部が外容器３００の内面に当接している状態を維持しつつ次第に立てられる。
【発明の効果】
【００１４】
本発明によるディスペンサーは、爆発や火災の危険があるガスの注入が不要であり、内容物の詰め替えが可能であるというメリットがある。
【００１５】
また、本発明によるディスペンサーは、内容器内の内容物が最大限に注出可能であるというメリットがある。
【００１６】
さらに、本発明によるディスペンサーは、内容器と外容器との間に詰め込まれた圧縮空気によって内容物の注出力が向上するというメリットがある。
【００１７】
さらに、本発明によるディスペンサーは、外容器と内容器との間に詰め込まれた圧縮空気だけでも内容物が注出できるように製作された環境にやさしい製品である。
【００１８】
特に、現在市販中のフロンガスと液化ガスとを混合した製品は、人体に有害であり、温室ガスの主犯として認識されているが、本発明はこのような問題を払拭する環境にやさしい製品であると共に、政府の緑色成長に最も理想的な製品である。
【図面の簡単な説明】
【００１９】
【図１】本発明の一実施の形態によるディスペンサーの分解斜視図。
【図２】本発明の一実施の形態によるディスペンサーの結合斜視図。
【図３】本発明の一実施の形態によるディスペンサーの正面図。
【図４】図２に示すディスペンサーの内容器が膨張された状態の斜視図。
【図５】本発明の他の実施の形態によるディスペンサーの斜視図。
【図６】図５に示すディスペンサーの内容器が膨張された状態の斜視図。
【図７】本発明のさらに他の実施の形態によるディスペンサーの斜視図。
【図８】図７に示すディスペンサーの内容器が膨張された状態の斜視図。
【発明を実施するための形態】
【００２０】
以下、添付図面に基づき、本発明の好適な実施の形態によるディスペンサーを詳述する。
【００２１】
図１から図３は、本発明の一実施の形態によるディスペンサーの分解斜視図、結合斜視図及び正面図であって、いずれも内容器が収縮された状態を示すものであり、図４は、図２に示すディスペンサーの内容器が膨張された状態を示す斜視図である。
【００２２】
図１〜４を参照すれば、本発明によるディスペンサーは、ポンピング部１００と、内容器２００及び外容器３００を備える。
【００２３】
外容器３００は上部開放型容器であり、上部にはポンピング部１００と係合されるための係合口３１０が形成される。
【００２４】
また、外容器３００は変形不可能な材質、例えば、固形のプラスチックや金属材質が好適である。
【００２５】
この外容器３００内には圧縮空気３０１が詰め込まれる。この圧縮空気３０１の力（矢印にて表示）は、内容器２００内の内容物を注出するときに内容器２００に働く。
【００２６】
内容器２００は外容器３００の内部に収納され、液状やゲル状の内容物が貯蔵される容器であり、上部にはポンピング部１００と結合されるための結合口２２０が形成される。
【００２７】
また、内容器２００は収縮及び膨張可能な材質からなり、射出ブロー成形法によって多数の蛇腹部２１０が形成される。
【００２８】
例えば、内容器２００は、丈夫で且つ無公害性フィルム（例えば、ＰＰＴ、ＰＥＴなど）からなる。
【００２９】
蛇腹部２１０は上下方向に形成されるが、内容器２００内に内容物が詰め込まれることにより、図３に示すように次第に膨らむ。このとき、膨張は、内容器２００の外面が外容器３００の内面に当接するまでなされる。
【００３０】
ポンピング部１００は、外容器３００及び内容器２００の上端部である係合口３１０及び結合口２２０に取設されるものであり、内容器２００内の内容物を注出する役割を果たす。
【００３１】
より具体的に、ポンピング部１００は、一方の側にノズル（図示せず）が形成され、このノズルを介して内容物を流出するためのボタン（図示せず）が配備されて、このボタンを押下してディスペンサーをポンピングすれば、内容物が注出される。すなわち、ボタンを押下すれば、図１に示す押圧部１１０が押下され、この押圧部１１０につながるばね（図示せず）が圧着されて真空圧を発生させ、これにより、注出孔が開放されて内容物は注出孔を介して外部に注出される。
【００３２】
ポンピング部１００には逆止弁が内設されて内容物が逆流することを防止する。
【００３３】
上記のように、内容器２００内の内容物が次第に注出されるにつれて、内容器２００は次第に縮まっていく。
【００３４】
ポンピング部１００としては、従来公知のディスペンサーのポンピング部が採用可能である。大韓民国実用新案第２０００−１４０８３号（名称：ディスペンサー）、大韓民国実用新案第２０００−３６１０３号（名称：ディスペンサー容器）などに開示されているポンピング部を参照されたい。
【００３５】
本発明は、外容器３００内に圧縮空気３０１を詰め込む。すなわち、外容器３００と内容器２００との間に圧縮空気３０１を詰め込み、この圧縮空気３０１によって内容物の注出力を一層向上させることができる。
【００３６】
特に、本発明は、従来ようにフロンガスを使用することなく、人体に無害であり、且つ、環境にやさしい空気を利用するという点で極めて有用な発明である。
【００３７】
図５は、本発明の他の実施の形態によるディスペンサーの斜視図であり、図６は、図５に示すディスペンサーの内容器２００が膨張された状態の斜視図である。
【００３８】
図５及び図６に示すディスペンサーは、図１から図４に示すディスペンサーに比べて、内容器２００の外周面に圧縮用ゴム帯４１０がさらに設けられている。
【００３９】
圧縮用ゴム帯４１０は弾性を有するため、内容物が注出されるにつれて収縮する。
【００４０】
上記のように、内容器２００の外面に圧縮用ゴム帯４１０を設けることにより、ゴム帯４１０の絞り力によって内容物の注出力を向上させることができ、しかも、内容器２００から内容物を最大限に注出することができる。
【００４１】
図７は、本発明のさらに他の実施の形態によるディスペンサーの斜視図であり、図８は、図７に示すディスペンサーの内容器が膨張された状態の斜視図である。
【００４２】
図７及び図８に示すディスペンサーは、図１から図４に示すディスペンサーに比べて、内容器２００の外周面に弾性の鋼帯４２０がさらに周設されている。
【００４３】
鋼帯４２０は帯状を呈し、この鋼帯４２０には一部を切欠して立設された多数の弾性鋼片４２１が設けられる。なお、鋼帯４２０の切欠部位には切欠孔４２２が穿孔される。
【００４４】
前記内容器２００内に内容物が最大限に詰め込まれれば、図８に示すように、弾性鋼片４２１が切欠孔４２２の位置まで達し、内容物が次第に注出されるにつれて、前記弾性鋼片４２１は次第に立てられて図７に示す状態となる。
【００４５】
このとき、弾性鋼片４２１の先端部は外容器３００の内面に当接している状態を維持する。
【００４６】
これにより、内容器２００が次第に収縮されることにより、弾性鋼片４２１が次第に立てられ、逆に、内容器２００が次第に膨張されることにより弾性鋼片４２１が次第に横たわる。
【００４７】
上記のように、内容器２００の外周面に弾性鋼片４２１を設けることにより、内容物の注出力を向上させることができ、しかも、内容器２００から内容物を最大限に注出することができる。
【００４８】
以上、本発明の好適な実施の形態を参照して説明したが、当該技術分野における当業者であれば、特許請求の範囲に記載の本発明の思想及び領域から逸脱しない範囲内において本発明を様々に修正及び変更させることができるということが理解できるであろう。
【符号の説明】
【００４９】
１００：ポンピング部、
１１０：押圧部、
２００：内容器、
２１０：蛇腹部、
２２０：結合口、
３００：外容器、
３０１：圧縮空気、
３１０：係合口、
４１０：ゴム帯、
４２０：鋼帯、
４２１：弾性鋼片、
４２２：切欠孔、
【図１】
2011162265.tif 000003
【図２】
2011162265.tif 000004
【図３】
2011162265.tif 000005
【図４】
2011162265.tif 000006
【図５】
2011162265.tif 000007
【図６】
2011162265.tif 000008
【図７】
2011162265.tif 000009
【図８】
2011162265.tif 000010
【外国語明細書】
2011162265000001.pdf